(57)【要約】【課題】マトリクス型の表示装置を十分な低消費電力化とチラツキが十分に抑制された高表示品位とを両立させて駆動する。【解決手段】休止期間Ｔ２において、液晶パネルのデータ信号線および対向電極の電位を、走査期間Ｔ１でのそれぞれの電圧振幅の中心とほぼ等しくする。これにより、液晶層に印加される実効電圧が、走査期間Ｔ１と休止期間Ｔ２とでほぼ等しくなる。また、休止期間Ｔ２において、最初に対向電極の交流駆動を停止し（ｄ点）、続いてソースドライバをハイインピーダンス状態にする（ｅ点）。これにより、休止期間Ｔ２にソースドライバ内のアンプを流れる定常電流を削減できる。よって、走査期間Ｔ１ごとに発生していたチラツキを解消して良好な表示品位を保ったまま、低消費電力化を達成することができる。【選択図】図１
2008233925.tif 000002
【特許請求の範囲】
【請求項１】
画素がマトリクス状に配設された画面の各走査信号線を選択して走査し、選択されたラインの画素にデータ信号線からデータ信号を供給して表示を行う表示装置の駆動方法において、
１画面を走査する走査期間に続けて、該走査期間よりも長く全走査信号線を非走査状態とする休止期間を設け、
かつ、上記休止期間において上記データ信号線の電位を所定のデータ信号線休止電位に固定する場合において、
上記所定のデータ信号線休止電位を、上記走査期間にデータ信号線に供給されるデータ信号の振幅中心に設定することを特徴とする表示装置の駆動方法。
【請求項２】
上記休止期間には対向電極の電位を所定の対向電極休止電位に固定することを特徴とする請求項１に記載の表示装置の駆動方法。
【請求項３】
上記休止期間における対向電極の対向電極休止電位を、上記走査期間に対向電極に供給される対向電極駆動信号の電圧範囲内に設定することを特徴とする請求項１に記載の表示装置の駆動方法。
【請求項４】
画素がマトリクス状に配設された画面の各走査信号線を選択して走査し、選択されたラインの画素にデータ信号線からデータ信号を供給して表示を行う表示装置の駆動方法において、
１画面を走査する走査期間に続けて、該走査期間よりも長く全走査信号線を非走査状態とする休止期間を設け、
かつ、上記休止期間において対向電極の電位を所定の対向電極休止電位に固定する場合において、
上記所定の対向電極休止電位を、上記走査期間に対向電極に供給される対向電極駆動信号の振幅中心に設定することを特徴とする表示装置の駆動方法。
【請求項５】
上記休止期間には上記データ信号線の電位を所定のデータ信号線休止電位に固定することを特徴とする請求項４に記載の表示装置の駆動方法。
【請求項６】
上記休止期間におけるデータ信号線のデータ信号線休止電位を、上記走査期間にデータ信号線に供給されるデータ信号の電圧範囲内に設定することを特徴とする請求項４に記載の表示装置の駆動方法。
【請求項７】
上記休止期間には、上記走査期間に対向電極に供給される対向電極駆動信号の振幅中心に設定された上記所定の対向電極休止電位の直流の駆動信号を上記対向電極に印加するとともに、当該直流の駆動信号を上記データ信号線にも印加することを特徴とする請求項４に記載の表示装置の駆動方法。
【請求項８】
請求項１から７の何れか１項に記載の表示装置の駆動方法を実行する制御手段を備えることを特徴とする表示装置。
【請求項９】
請求項８に記載の表示装置を搭載していることを特徴とする携帯機器。
【請求項１０】
請求項１に記載の表示装置の駆動方法によって、休止期間にはデータ信号線の電位をデータ信号線休止電位に固定し、
かつ、請求項４に記載の表示装置の駆動方法によって、上記休止期間には対向電極の電位を対向電極休止電位に固定することを特徴とする表示装置の駆動方法。
【請求項１１】
上記休止期間において、
上記データ信号線の電位と上記対向電極の電位とを、データ信号線休止電位と対向電極休止電位とにそれぞれ固定した後、
上記データ信号線にデータ信号を供給するデータ信号ドライバに対して当該データ信号線をハイインピーダンス状態とすることを特徴とする請求項１０に記載の表示装置の駆動方法。
【発明の詳細な説明】
【技術分野】
【０００１】
本発明は、マトリクス型の表示装置の低消費電力化に関するものである。
【背景技術】
【０００２】
近年、ワードプロセッサ、ラップトップ型パーソナルコンピュータ、ポケットテレビなどへの液晶表示装置の応用が急速に進展している。特に、液晶表示装置の中でも外部から入射した光を反射させて表示を行う反射型液晶表示装置は、バックライトが不要であるため消費電力が少なく薄型であって、軽量化が可能であることから注目されている。
【０００３】
従来の反射型液晶表示装置は、時計などに用いられている単純な数字や絵文字のみを表示することのできるセグメント表示方式、さらにパーソナルコンピュータや携帯情報端末などの複雑な表示に対応することのできるものとして、単純マルチプレックス駆動方式と、ＴＦＴ（thin film transistor）などのアクティブ素子を使用したアクティブマトリクス駆動方式とに大別される。各方式とも消費電力を低減することが望ましい。
【０００４】
マトリクス型液晶表示装置のうち単純マルチプレックス駆動方式のものでは、２型程度の大きさで消費電力が１０ｍＷ〜１５ｍＷ程度と十分に小さいものの、明るさおよびコントラストが低く、応答速度が小さいなど基本的な表示品位に問題がある。一方、ＴＦＴなどを使用したアクティブ駆動方式では、明るさおよびコントラストが高く、応答速度も大きく基本的な表示品位は十分であるものの、周辺駆動回路が複雑であるため、消費電力は２型程度の大きさでも１００ｍＷ〜１５０ｍＷ程度であり、十分に満足できるものではなかった。
【０００５】
これに対して、これまでも十分な低消費電力化と良好な表示品位とのための研究開発が精力的に行われている。
【０００６】
例えば、SID '95 予稿集p249〜p252および公開特許公報「特開平３−２７１７９５号公報（公開日：平成３年（１９９１）１２月３日）」には、ＴＦＴ液晶ドライバの消費電力を下げる手法として、マルチフィールド駆動法が提案されている。これは、一画面の走査を走査信号線の１本おきもしくは複数本おきとして複数回に分割して行い、１回の走査中はデータ信号線の電圧の極性反転を行わないことにより、データ信号線ドライバの消費電力の低減を行うものである。また、各ラインで発生する明るさの変化、すなわちチラツキを、隣接する反対極性のラインのチラツキで相殺することにより全体としてチラツキのない表示を実現することも目的としている。
【０００７】
さらに、例えば、公開特許公報「特開平６−３４２１４８号公報（公開日：平成６年（１９９４）１２月１３日）」に開示されている方式のように、液晶パネルに強誘電性液晶を用いてメモリ性を持たせ、駆動周波数（リフレッシュレート）を小さくして消費電力を削減する方法もある。
【特許文献１】特開平３−２７１７９５号公報（公開日：平成３年（１９９１）１２月３日）
【特許文献２】特開平６−３４２１４８号公報（公開日：平成６年（１９９４）１２月１３日）
【非特許文献１】H. Okumura、G. Ito （Toshiba R&D Center, Yokohama, Japan）SID '95 予稿集p249〜p252,1995年5月21日
【発明の開示】
【発明が解決しようとする課題】
【０００８】
しかしながら、マルチフィールド駆動を行ってもラインごとにチラツキは発生しており、隣接するラインで相殺しても実際にはチラツキが知覚され、視認性が著しく低下する。また、駆動周波数の低減は僅かであって低消費電力化も十分とは言えない。さらに、マルチフィールド駆動方式では一画面を複数枚のサブフィールドに分割し、走査を走査信号線の１本おきもしくは複数本おきに行うために、一旦画像をフレームメモリに蓄積した後、駆動する走査信号線に対応する信号を読み出す必要があり、回路構成が複雑化することは避けられない。したがって、周辺回路が大型化してコストアップにつながるという欠点を有している。
【０００９】
さらに、「特開平６−３４２１４８号公報」に開示されている方法では、強誘電性液晶が基本的に２値（白黒）表示であるために階調表示ができず、自然画の表示ができない。加えて、強誘電性液晶をパネル化するには高度なパネル作成技術が要求されるため、実現が困難であり、今日に至るまで実用化に至っていない。
【００１０】
このように、従来のマトリクス型液晶表示装置の駆動方法では、明るさ、コントラスト、応答速度、階調性などの基本的な表示品位を満たした状態で、容易に十分な低消費電力化を図ることができなかった。さらに、上記従来のマトリクス型液晶表示装置の駆動方法では、十分な低消費電力化とチラツキのない高表示品位とを両立させることができなかった。これらの問題点は液晶表示装置に限らず、マトリクス型の表示装置一般について言えることでもある。
【００１１】
本発明は、上記の問題点を解決するためになされたもので、その目的は、十分な低消費電力化とチラツキが十分に抑制された高表示品位とを両立させることのできるマトリクス型の表示装置の駆動方法、それを用いた表示装置、およびその表示装置を搭載した携帯機器を提供することにある。
【課題を解決するための手段】
【００１２】
本発明の表示装置の駆動方法は、上記の課題を解決するために、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間において上記データ信号線の電位を所定のデータ信号線休止電位に固定する場合において、上記所定のデータ信号線休止電位を、上記走査期間にデータ信号線に供給されるデータ信号の振幅中心に設定することを特徴としている。
【００１３】
また、本発明の表示装置の駆動方法は、上記休止期間には対向電極の電位を所定の対向電極休止電位に固定しても良い。
【００１４】
また、本発明の表示装置の駆動方法は、上記休止期間における対向電極の対向電極休止電位を、上記走査期間に対向電極に供給される対向電極駆動信号の電圧範囲内に設定しても良い。
【００１５】
上記の方法により、１画面を書き換える走査期間の後に、非走査期間として走査期間よりも長い休止期間を設けることによって、データ信号の供給周波数に正比例して増加するデータ信号線ドライバ（ソースドライバ）の消費電力を、容易に削減することができる。
【００１６】
また、休止期間におけるデータ信号線の電位をデータ信号線休止電位に固定することによって、休止期間におけるデータ信号線の電位を最適に制御することが可能となる。すなわち、走査期間と休止期間とにおいて、データ信号線の電位が画素電極に与える影響をほぼ等しくすることが可能となる。よって、休止期間を設けても、画素電極の電位の実効値をほぼ一定にして、チラツキの無い表示を実現できる。
【００１７】
したがって、マトリクス型の表示装置において、十分な低消費電力化とチラツキが十分に抑制された高表示品位とを両立させることが可能となる。
【００１８】
そして、休止期間においてデータ信号線の電位を固定するデータ信号線休止電位は、走査期間にデータ信号線に供給されるデータ信号の振幅中心に設定する方法とする。
【００１９】
なお、アクティブマトリクス液晶表示装置であれば、休止期間におけるデータ信号線の電位は走査期間の振幅中心±１．５Ｖの範囲で値を変化させても実用上チラツキの無い表示を実現できる。
【００２０】
また、本発明の表示装置の駆動方法は、上記の課題を解決するために、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間において対向電極の電位を所定の対向電極休止電位に固定する場合において、上記所定の対向電極休止電位を、上記走査期間に対向電極に供給される対向電極駆動信号の振幅中心に設定することを特徴としている。
【００２１】
また、本発明の表示装置の駆動方法は、上記休止期間には対向電極の電位を所定の対向電極休止電位に固定しても良い。
【００２２】
また、本発明の表示装置の駆動方法は、上記休止期間における対向電極の対向電極休止電位を、上記走査期間に対向電極に供給される対向電極駆動信号の電圧範囲内に設定しても良い。
【００２３】
上記の方法により、データ信号ドライバの出力電圧の振幅を削減するために対向電極を交流駆動する場合であっても、１画面を書き換える走査期間の後に、非走査期間として走査期間よりも長い休止期間を設けることによって、データ信号の供給周波数に正比例して増加する対向電極駆動ドライバ（コモンドライバ）の消費電力を、容易に削減することができる。
【００２４】
また、休止期間における対向電極の電位を対向電極休止電位に固定することによって、休止期間における対向電極の電位を最適に制御することが可能となる。すなわち、走査期間と休止期間とにおいて、対向電極の電位が画素電極に与える影響をほぼ等しくすることが可能となる。よって、休止期間を設けても、画素電極の電位の実効値をほぼ一定にして、チラツキの無い表示を実現できる。
【００２５】
したがって、マトリクス型の表示装置において、十分な低消費電力化とチラツキが十分に抑制された高表示品位とを両立させることが可能となる。
【００２６】
そして、休止期間において対向電極の電位を固定する対向電極休止電位は、走査期間に対向電極に供給される対向電極駆動信号の振幅中心に設定する方法とする。
【００２７】
なお、アクティブマトリクス液晶表示装置であれば、休止期間における対向電極の電位は走査期間の振幅中心±１．０Ｖの範囲で値を変化させても実用上チラツキの無い表示を実現できる。
【００２８】
また、本発明の表示装置の駆動方法は、上記の課題を解決するために、休止期間にはデータ信号線の電位をデータ信号線休止電位に固定し、かつ、上記休止期間には対向電極の電位を対向電極休止電位に固定することを特徴としている。
【００２９】
上記の方法により、１画面を書き換える走査期間の後に、非走査期間として走査期間よりも長い休止期間を設けることによって、データ信号線および対向電極に供給される駆動信号の周波数に正比例して増加する消費電力を、容易に削減することができる。
【００３０】
また、休止期間におけるデータ信号線および対向電極の電位をそれぞれデータ信号線休止電位および対向電極休止電位にそれぞれ固定することによって、休止期間におけるデータ信号線および対向電極の電位を最適に制御することが可能となる。すなわち、走査期間と休止期間とにおいて、データ信号線および対向電極の電位が画素電極に与える影響をほぼ等しくすることが可能となる。ここで、データ信号線休止電位および対向電極休止電位は、画素電極と対向電極との間の実効電圧が、走査期間と休止期間とでほぼ等しくなるように設定すればよい。よって、休止期間を設けても、画素電極の電位の実効値をほぼ一定にして、チラツキの無い表示を実現できる。
【００３１】
したがって、マトリクス型の表示装置において、十分な低消費電力化とチラツキが十分に抑制された高表示品位とを両立させることが可能となる。
【００３２】
本発明の表示装置の駆動方法は、上記の課題を解決するために、上記休止期間において、上記データ信号線の電位と上記対向電極の電位とを、データ信号線休止電位と対向電極休止電位とにそれぞれ固定した後、上記データ信号線にデータ信号を供給するデータ信号ドライバに対して当該データ信号線をハイインピーダンス状態とすることを特徴とする。
【００３３】
上記の方法により、さらに、休止期間に全データ信号線をデータ信号ドライバから切り離すなどして、データ信号ドライバに対してハイインピーダンス状態とするので、休止期間において各データ信号線の電位を一定に保持することができる。
【００３４】
よって、データ信号線と接続される画素電極を有する表示装置において生じる、データ信号線と画素電極との容量結合に起因した画素電極の電位変動などのように、データ信号線の電位変動によって生じる各画素のデータ保持状態の変化が抑制され、画面のチラツキが十分に抑制される。
【００３５】
したがって、マトリクス型の表示装置において、十分な低消費電力化とチラツキが十分に抑制された高表示品位とを両立させることが可能となる。
【００３６】
また、本発明の表示装置の駆動方法は、上記の課題を解決するために、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間には、上記走査期間に対向電極に供給される対向電極駆動信号の振幅中心に設定された上記所定の対向電極休止電位の直流の駆動信号を上記対向電極に印加するとともに、当該直流の駆動信号を上記データ信号線にも印加することを特徴
としている。
【００３７】
上記の方法により、１画面を書き換える走査期間の後に、非走査期間として走査期間よりも長い休止期間を設けることによって、データ信号線および対向電極に供給される駆動信号の周波数に正比例して増加する消費電力を、容易に削減することができる。
【００３８】
また、休止期間においてデータ信号線および対向電極を、上記走査期間に対向電極に供給される対向電極駆動信号の振幅中心に設定された上記所定の対向電極休止電位の直流の駆動信号で駆動することによって、休止期間におけるデータ信号線と対向電極との電位差を最適に制御することが可能となる。すなわち、走査期間と休止期間とにおいて、データ信号線および対向電極の電位が画素電極に与える影響をほぼ等しくできる。
【００３９】
よって、休止期間においてデータ信号線および対向電極へ供給する駆動信号の振幅および位相が一致するため、休止期間を設けても、画素電極の電位の実効値をほぼ一定にして、チラツキの無い表示を実現できる。
【００４０】
加えて、休止期間ではデータ信号線の駆動信号を対向電極に駆動信号を供給する交流信号発生回路（コモンドライバ）から供給することが可能となるため、休止期間中データ信号ドライバをデータ信号線から切り離してデータ信号ドライバを休止させることにより、消費電力を削減できる。
【００４１】
したがって、マトリクス型の表示装置において、十分な低消費電力化とチラツキが十分に抑制された高表示品位とを両立させることが可能となる。
【００４２】
なお、アクティブマトリクス液晶表示装置であれば、休止期間におけるデータ信号線および対向電極の電位は走査期間の振幅中心±１．０Ｖの範囲で値を変化させても実用上チラツキの無い表示を実現できる。
【００４３】
本発明の表示装置は、上記の課題を解決するために、上記の駆動方法を実行する制御手段を備えることを特徴としている。
【００４４】
上記の構成により、マトリクス型の表示装置において、十分な低消費電力化とチラツキが十分に抑制された高表示品位とを両立させることが可能となる。例えば、液晶表示装置に適用よれば、アクティブ素子を有する構成において、良好な表示品位を保ったまま、低消費電力化を達成することができる。
【００４５】
本発明の携帯機器は、上記の課題を解決するために、上記表示装置を搭載していることを特徴としている。
【発明の効果】
【００４６】
本発明の表示装置の駆動方法は、以上のように、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間において上記データ信号線の電位を所定のデータ信号線休止電位に固定する場合において、上記所定のデータ信号線休止電位を、上記走査期間にデータ信号線に供給されるデータ信号の振幅中心に設定する方法である。
【００４７】
上記の方法により、１画面を書き換える走査期間の後に、非走査期間として走査期間よりも長い休止期間を設けることによって、データ信号の供給周波数に正比例して増加するデータ信号線ドライバ（ソースドライバ）の消費電力を、容易に削減することができる。
【００４８】
また、休止期間におけるデータ信号線の電位をデータ信号線休止電位に固定することによって、休止期間におけるデータ信号線の電位を最適に制御することが可能となる。すなわち、走査期間と休止期間とにおいて、データ信号線の電位が画素電極に与える影響をほぼ等しくすることが可能となる。よって、休止期間を設けても、画素電極の電位の実効値をほぼ一定にして、チラツキの無い表示を実現できる。
【００４９】
したがって、マトリクス型の表示装置において、十分な低消費電力化とチラツキが十分に抑制された高表示品位とを両立させることが可能となる。
【００５０】
そして、休止期間においてデータ信号線の電位を固定するデータ信号線休止電位は、走査期間にデータ信号線に供給されるデータ信号の振幅中心に設定する方法とする。
【００５１】
なお、アクティブマトリクス液晶表示装置であれば、休止期間におけるデータ信号線の電位は走査期間の振幅中心±１．５Ｖの範囲で値を変化させても実用上チラツキの無い表示を実現できる。
【００５２】
また、本発明の表示装置の駆動方法は、以上のように、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間において対向電極の電位を所定の対向電極休止電位に固定する場合において、上記所定の対向電極休止電位を、上記走査期間に対向電極に供給される対向電極駆動信号の振幅中心に設定する方法である。
【００５３】
上記の方法により、データ信号ドライバの出力電圧の振幅を削減するために対向電極を交流駆動する場合であっても、１画面を書き換える走査期間の後に、非走査期間として走査期間よりも長い休止期間を設けることによって、データ信号の供給周波数に正比例して増加する対向電極駆動ドライバ（コモンドライバ）の消費電力を、容易に削減することができる。
【００５４】
また、休止期間における対向電極の電位を対向電極休止電位に固定することによって、休止期間における対向電極の電位を最適に制御することが可能となる。すなわち、走査期間と休止期間とにおいて、対向電極の電位が画素電極に与える影響をほぼ等しくすることが可能となる。よって、休止期間を設けても、画素電極の電位の実効値をほぼ一定にして、チラツキの無い表示を実現できる。
【００５５】
したがって、マトリクス型の表示装置において、十分な低消費電力化とチラツキが十分に抑制された高表示品位とを両立させることが可能となる。
【００５６】
そして、休止期間において対向電極の電位を固定する対向電極休止電位は、走査期間に対向電極に供給される対向電極駆動信号の振幅中心に設定する方法とする。
【００５７】
なお、アクティブマトリクス液晶表示装置であれば、休止期間における対向電極の電位は走査期間の振幅中心±１．０Ｖの範囲で値を変化させても実用上チラツキの無い表示を実現できる。
【００５８】
以上によれば、十分な低消費電力化とチラツキが十分に抑制された高表示品位とを両立させることのできるマトリクス型の表示装置の駆動方法、それを用いた表示装置、およびその表示装置を搭載した携帯機器を提供するという効果を奏する。
【発明を実施するための最良の形態】
【００５９】
本発明の実施の形態について図１から図１３に基づいて説明すれば、以下のとおりである。
【００６０】
なお、以下の実施の形態では、本発明の表示装置の駆動方法およびそれを用いた表示装置について、アクティブマトリクス液晶表示装置を例に説明する。しかし、本発明はこれに限定されるものではなく、ＴＦＴ素子を用いてアドレスするＥＬ（electro luminescence）表示装置などにも適用できる。また、上記の表示装置は、携帯電話、ポケットゲーム機、ＰＤＡ（personal digital assistants）、携帯ＴＶ、リモートコントロール、ノート型パーソナルコンピュータ、その他の携帯端末などに搭載可能である。これらの携帯機器はバッテリー駆動されることが多く、チラツキのない良好な表示品位を保ったままの低消費電力化が図れる表示装置を搭載することにより、長時間駆動が容易になる。
【００６１】
図６に、本実施の形態に係る表示装置としての液晶表示装置（表示装置）１のシステムブロック図を示す。上記液晶表示装置１は、反射型液晶表示装置であり、液晶パネル（画面）２、ゲートドライバ３、ソースドライバ（データ信号ドライバ）４、コントロール（制御手段）ＩＣ５、画像メモリ６、コモンドライバ７を備えて構成されている。
【００６２】
上記液晶パネル２は、図７に示すように、マトリクス状に配置された画素からなる画面と、上記画面を線順次に選択して走査する複数の走査信号線と、選択されたラインの画素にデータ信号を供給する複数のデータ信号線とを備えている。そして、走査信号線とデータ信号線とは直交している。
【００６３】
ここで、図８および図９を用いて、液晶パネル２の具体的な構成例について説明する。図８は、図９のＡ−Ａ線断面図である。図９は、図８に示した液晶層１３以下の構成を示す平面図である。
【００６４】
図８に示すように、液晶パネル２は反射型のアクティブマトリクス型液晶パネルであり、２枚のガラス基板１１・１２にネマチック液晶などの液晶層１３が挟持され、ガラス基板１２上にアクティブ素子としてのＴＦＴ１４…が形成された基本構成を有している。なお、本実施の形態ではアクティブ素子としてＴＦＴを用いるが、ＭＩＭ（metal insulator metal ）やＴＦＴ以外のＦＥＴを用いることもできる。ガラス基板１１の上面には、入射光の状態を制御するための位相差板１５、偏光板１６、および反射防止膜１７がこの順で設けられている。ガラス基板１１の下面には、ＲＧＢのカラーフィルタ１８、および対向電極としての透明共通電極（対向電極）１９がこの順で設けられている。カラーフィルタ１８によりカラー表示が可能となっている。
【００６５】
各ＴＦＴ１４においては、ガラス基板１２上に設けられた走査信号線の一部をゲート電極２０とし、その上にゲート絶縁膜２１が形成されている。ゲート絶縁膜２１を挟んでゲート電極２０と対向する位置にｉ型アモルファスシリコン層２２が設けられ、ｉ型アモルファスシリコン層２２のチャネル領域を挟むようにｎ+ 型アモルファスシリコン層２３が２箇所形成されている。一方のｎ+型アモルファスシリコン層２３の上面にはデータ信号線の一部をなすデータ電極２４が形成され、他方のｎ+ 型アモルファスシリコン層２３の上面からゲート絶縁膜２１の平坦部上面にわたってドレイン電極２５が引き出されて形成されている。ドレイン電極２５の引き出し開始箇所と反対側の一端は、図９に示すように補助容量配線３３と対向する矩形の補助容量用電極パッド２７ａと接続されている。ＴＦＴ１４…の上面には層間絶縁膜２６が形成されており、層間絶縁膜２６の上面には反射電極２７ｂ…が設けられている。反射電極２７ｂ…は周囲光を用いて反射型表示を行うための反射部材である。反射電極２７ｂ…による反射光の方向を制御するために、層間絶縁膜２６の表面には微細な凹凸が形成されている。
【００６６】
さらに、各反射電極２７ｂは、層間絶縁膜２６に設けたコンタクトホール２８を通じてドレイン電極２５と導通している。すなわち、データ電極２４から印加されてＴＦＴ１４により制御される電圧は、ドレイン電極２５からコンタクトホール２８を介して反射電極２７ｂに印加され、反射電極２７ｂと透明共通電極１９との間の電圧によって液晶層１３が駆動される。すなわち、補助容量用電極パッド２７ａと反射電極２７ｂとは互いに導通し、また反射電極２７ｂと透明共通電極１９との間に液晶が介在している。このように、補助容量用電極パッド２７ａと反射電極２７ｂとは画素電極２７を構成している。透過型の液晶表示装置の場合は、上記各電極に相当するように配置された画素電極が透明電極となる。
【００６７】
さらに、図８のうち液晶層１３より下方の部分を上方から見た図９に示すように、液晶パネル２には、ＴＦＴ１４のゲート電極２０に走査信号を供給する走査信号線３１…と、ＴＦＴ１４のデータ電極２４にデータ信号を供給するデータ信号線３２…とがガラス基板１２上に直交するように設けられている。そして、補助容量用電極パッド２７ａ…のそれぞれとの間に画素の補助容量を形成する補助容量電極としての補助容量配線３３…が設けられている。補助容量配線３３…は走査信号線３１…以外の位置で、一部がゲート絶縁膜２１を挟んで補助容量用電極パッド２７ａ…と対をなすようにガラス基板１２上に走査信号線３１…と平行に設けられている。この場合に限らず、補助容量配線３３…は走査信号線３１…の位置を避けて設けられていればよい。なお、同図では補助容量用電極パッド２７ａ…と補助容量配線３３…との位置関係が明確になるように反射電極２７ｂ…の図示を一部省略してある。また、図８における層間絶縁膜２６の表面の凹凸は図９では図示していない。また、本実施の形態では、液晶パネル２のパネルサイズを、対角０．１ｍ、走査信号線３１を２４０本、データ信号線３２０×３本として説明する。
【００６８】
さらに、図１０に、上記の構成の液晶パネル２における、１画素についての等価回路を示す。図１０に示すように、透明共通電極１９と反射電極２７ｂとで液晶層１３を挟持することにより形成した液晶容量ＣLCと、補助容量用電極パッド２７ａと補助容量配線３３とでゲート絶縁膜２１を挟持することにより形成した補助容量ＣCSとがＴＦＴ１４に接続されるとともに、液晶容量ＣLCの透明共通電極１９および補助容量ＣCSの補助容量配線３３にバッファ（図示せず）を介して直流あるいは交流の共通電極電圧ＶCOM を印加するようになっている。
【００６９】
つづいて、図６に示した上記コントロールＩＣ（制御手段）５は、コンピュータなどの内部にある上記画像メモリ６に蓄えられている画像データを受け取り、ゲートドライバ３にゲートスタートパルス信号ＧＳＰおよびゲートクロック信号ＧＣＫを配信し、ソースドライバ４にＲＧＢの階調データ、ソーススタートパルス信号ＳＳＰ、ソースラッチストローブ信号ＳＬＳ、およびソースクロック信号ＳＣＫを配信する。これら全ての信号は同期しており、各信号の周波数を信号名の前にｆを付して表すと、これら周波数の関係は一般的には、
ｆＧＳＰ＜ｆＧＣＫ＝ｆＳＳＰ＜ｆＳＣＫ
となっている。なお、いわゆる擬似倍速駆動の場合はｆＧＣＫ＞ｆＳＳＰとなる。画像データ蓄積手段としての画像メモリ６に蓄積されている画像データは、データ信号の基になるデータである。また、コントロールＩＣ５は後述する液晶表示装置１の駆動方法を実行する制御手段としての機能を有している。
【００７０】
上記ゲートドライバ３は、走査信号線ドライバであり、液晶パネル２の各走査信号線に、選択期間と非選択期間とのそれぞれに応じた電圧を出力する。具体的には、ゲートドライバ３は、コントロールＩＣ５から受け取ったゲートスタートパルス信号ＧＳＰを合図に液晶パネル２の走査を開始し、ゲートクロック信号ＧＣＫに従って各走査信号線に順次選択電圧を印加していく。
【００７１】
上記ソースドライバ４は、データ信号線ドライバであり、液晶パネル２の各データ信号線にデータ信号を出力し、選択されている走査信号線上にある画素のそれぞれに画像データを供給する。具体的には、ソースドライバ４は、コントロールＩＣ５から受け取ったソーススタートパルス信号ＳＳＰを基に、送られてきた各画素の階調データをソースクロック信号ＳＣＫに従ってレジスタに蓄え、次のソースラッチストローブ信号ＳＬＳに従って液晶パネル２の各データ信号線に階調データを書き込む。
【００７２】
また、コントロールＩＣ５には、ゲートスタートパルス信号ＧＳＰのパルス間隔の設定を行うＧＳＰ変換回路５Ａが設けられている。ゲートスタートパルス信号ＧＳＰのパルス間隔は、表示のフレーム周波数が通常の６０Ｈｚである場合は約１６．７ｍｓｅｃである。ＧＳＰ変換回路５Ａは、例えばこのゲートスタートパルス信号ＧＳＰのパルス間隔を１６７ｍｓｅｃと長くすることができる。１画面の走査期間Ｔ１が通常のままであるとすると、上記のパルス間隔のうち約９／１０は全走査信号線を非走査状態とする期間となる。このように、ＧＳＰ変換回路５Ａでは、走査期間Ｔ１が終了した後に再びゲートスタートパルス信号ＧＳＰがゲートドライバ３に入力されるまでの非走査期間が、走査期間Ｔ１より長くなるように設定することができる。この走査期間Ｔ１より長い非走査期間を休止期間Ｔ２と呼ぶことにする。
【００７３】
ここで、図１に、非走査期間として休止期間Ｔ２を設定した場合の、走査信号線Ｇ1 〜Ｇn （ｎ＝２４０）に供給する走査信号の波形を示す。なお、走査期間Ｔ１より長い休止期間Ｔ２を設定すると、休止期間Ｔ２が通常の垂直帰線期間（非走査期間）の代わりとなるため、フレームやフィールドを表す垂直周期が長くなる。
【００７４】
ＧＳＰ変換回路５Ａで非走査期間として休止期間Ｔ２を設定すると、１垂直期間は走査期間Ｔ１と休止期間Ｔ２との和になる。例えば、走査期間Ｔ１を通常の６０Ｈｚ相当の時間に設定すると、それよりも長い休止期間Ｔ２が存在するために、垂直周波数が３０Ｈｚより低い周波数となる。走査期間Ｔ１と非走査期間とは、静止画や動画など表示したい画像における動きの程度に応じて適宜設定すればよく、ＧＳＰ変換回路５Ａでは画像の内容に応じて複数の非走査期間を設定することができるようになっている。そして、非走査期間の少なくとも１つは休止期間Ｔ２となっている。同図では、ＧＳＰ変換回路５Ａが外部から入力される非走査期間設定信号Ｍに応じて非走査期間の設定を変えるようになっている。なお、非走査期間設定信号Ｍの形式は任意でよいが、例えば２ビットの論理信号であれば、非走査期間を４通りに設定することができる。
【００７５】
このように、休止期間Ｔ２を設けることにより、画面を書き換える回数、すなわちソースドライバ４から出力するデータ信号の供給周波数を減少させることができるので、画素を充電する電力を削減することができる。したがって、液晶表示装置１が明るさ、コントラスト、応答速度、階調性などの基本的な表示品位を確保することのできるアクティブマトリクス型の液晶表示装置である場合に、非走査期間として休止期間Ｔ２を設定すれば、データ信号の供給周波数に正比例して増加するデータ信号線ドライバの消費電力を、上記表示品位を犠牲にすることなく容易にかつ十分に削減することができる。
【００７６】
このような理由から、静止画のように画像に動きのない表示や、動画でも画像に動きの少ない表示などに対しては、非走査期間を長い休止期間Ｔ２に設定すればよい。また、動きの多い動画に対しては、非走査期間として短い休止期間Ｔ２や、休止期間Ｔ２よりも短い非走査期間に設定すればよい。例えば１６．７ｍｓｅｃという走査期間に対して十分短い非走査期間に設定すると、駆動周波数は通常の６０Ｈｚ相当となるので、十分に速い動画表示が可能になる。これに対し、非走査期間を３３３３ｍｓｅｃという長い休止期間Ｔ２に設定すると、静止画や動きの少ない動画に対して、画面を書き換えることによる消費電力を基本的な表示品位を保ったまま削減することができる。すなわち、液晶パネル２を動画ディスプレイと低消費電力ディスプレイとに切り換えて使用することができる。このように、静止画や動画など表示画像の種類に応じて画面を書き換える周期を変化させることができるので、表示画像の種類ごとに最適な低消費電力化を図ることができる。
【００７７】
また、複数の非走査期間のうちで最短のものをＴ０１、Ｔ０１以外の任意のものをＴ０２としたとき、
（Ｔ１＋Ｔ０２）＝（Ｔ１＋Ｔ０１）×Ｎ（Ｎは２以上の整数）
の関係とする、すなわち、複数の非走査期間のそれぞれを用いたフレーム期間を、最短の非走査期間Ｔ０１を用いたフレーム期間の整数倍とするのが好ましい。例えば、通常の６０Ｈｚで駆動を行う場合、Ｔ１は１６．７ｍｓｅｃ以下である。Ｔ０１を垂直帰線期間とし、Ｔ０２を上式の関係に従って設定すれば、６０Ｈｚで転送されてくる画面のデータ信号に対して整数回に１回サンプリングを行えばよい。したがって、基準同期信号を非走査期間のそれぞれに共通化して利用することができ、簡単な回路を付加するだけで低周波数駆動が可能となって、新たに発生する消費電力を非常に小さくすることができる。
【００７８】
さらに、ゲートドライバ３およびソースドライバ４の内部にはロジック回路があり、それぞれが内部のトランジスタを動作させるために電力を消費する。このため、これらの消費電力はトランジスタが動作する回数に比例し、クロック周波数に比例することとなる。休止期間Ｔ２には全走査信号線を非走査状態とするので、ゲートクロック信号ＧＣＫ、ソーススタートパルス信号ＳＳＰ、ソースクロック信号ＳＣＫなどのゲートスタートパルス信号ＧＳＰ以外の信号を、ゲートドライバ３およびソースドライバ４に入力しないことにより、ゲートドライバ３およびソースドライバ４の内部にあるロジック回路を動作させる必要がなくなるためそれだけ消費電力を削減することができる。
【００７９】
一方、ソースドライバ４がデジタルのデータ信号を扱うデジタルドライバである場合には、ソースドライバ４の内部に階調発生回路やバッファなどの定常的に電流が流れるアナログ回路が存在する。また、ソースドライバ４がアナログのデータ信号を扱うアナログドライバである場合には、アナログ回路としてサンプリングホールド回路とバッファとが存在する。さらに、コントロールＩＣ５の内部にアナログ回路が存在している場合もある。
【００８０】
アナログ回路の消費電力は駆動周波数に依存しないので、ゲートドライバ３およびソースドライバ４の内部にあるロジック回路の動作を停止させただけでは上記消費電力は削減することができない。そこで、休止期間Ｔ２中にこれらのアナログ回路を停止させ、アナログ回路を電源から切り離すようにすれば、アナログ回路の消費電力を削減し、液晶表示装置１全体の消費電力をさらに低減することができる。なお、液晶表示装置１がアクティブマトリクス型液晶表示装置である場合には、休止期間Ｔ２中にゲートドライバ３から画素に非選択電圧を印加するため、停止させるアナログ回路を最低限ゲートドライバ３と関連しないもの、すなわち休止期間Ｔ２における表示とは無関係なものとすればよい。少なくともソースドライバ４のアナログ回路を停止させることにより、最も消費電力の大きいアナログ回路の動作を停止させることになるので、液晶表示装置１全体の消費電力を効率よく低減することができる。
【００８１】
また、休止期間Ｔ２では画素にデータを書き込まないので、休止期間Ｔ２に画像メモリ６からの画像データの転送を停止させることにより、休止期間Ｔ２において画像データ転送のための消費電力を削減することができる。画像データの転送の停止に当たっては、例えば前述の非走査期間設定信号Ｍに基づいてコントロールＩＣ５から画像メモリ６に画像データの転送の停止を要求する。これにより、転送停止の制御が容易ながら液晶表示装置１全体の消費電力をさらに低減することができる。
【００８２】
なお、非走査期間の設定では、この例のようにＧＳＰ変換回路５Ａに複数の非走査期間設定信号が入力されるようになっていてもよいし、ＧＳＰ変換回路５Ａに非走査期間調整用のボリュームや選択用のスイッチなどが備えられていてもよい。もちろん使用者が設定しやすいように液晶表示装置１の筐体外周面に非走査期間調整用のボリュームや選択用のスイッチなどが備えられていてもよい。ＧＳＰ変換回路５Ａは少なくとも外部からの指示に応じて非走査期間を所望の設定に変えることのできる構成であればよい。
【００８３】
また、図６に示すように、コントロールＩＣ５には、データ信号線に接続されている出力アンプを制御するアンプ制御回路５Ｂが設けられている。そして、アンプ制御回路５Ｂが、休止期間Ｔ２に出力アンプをハイインピーダンス状態にして、全データ信号線をソースドライバ４から切り離すことによって、画面のチラツキを抑え、高表示品位を達成することができる。
【００８４】
すなわち、アンプ制御回路５Ｂにより、休止期間Ｔ２において各データ信号線の電位を一定に保持することができる。よって、液晶表示装置１がデータ信号線と接続される画素電極を有するような場合において生じる、データ信号線と画素電極との容量結合に起因した画素電極の電位変動などのように、データ信号線の電位変動によって生じる各画素のデータ保持状態の変化が抑制され、チラツキが十分に抑制される。したがって、十分な低消費電力化とチラツキが十分に抑制された高表示品位とを両立させることができる。
【００８５】
また、前述のように、消費電力を削減するためにソースドライバ４のバッファ内部のアナログ回路の動作を停止させる際、バッファがグランド電位になる。すると、バッファと接続されているデータ信号線も同時にグランド電位になってしまい、液晶表示装置１がデータ信号線と接続される画素電極を有するような場合に、容量結合に起因した画素電極の電位変動が生じる。そこで、全データ信号線をハイインピーダンス状態とした後に、休止期間Ｔ２の表示とは無関係なアナログ回路の動作を停止させるようにする。これにより、アナログ回路の消費電力の削減を行いながら、画素のデータ保持状態の変化を抑制し、よりチラツキが抑制された高表示品位を達成することができる。
【００８６】
さらに、全データ信号線を、全画素のデータ保持状態の変化が平均してほぼ最小となる電位としてからハイインピーダンス状態とすればなお好ましい。例えば、液晶表示装置１がデータ信号線と接続される画素電極と、その対向電極との間に液晶が介在する構成であれば、全データ信号線を、対向電極に交流電圧を印加する場合に該交流電圧の振幅中心の電位とし、対向電極に直流電圧を印加する場合に対向電極と同電位とする。この場合、交流駆動で正極性電位の画素と負極性電位の画素電極とが混在しても、データ信号線と画素電極との容量結合による全画素の電荷保持状態の変化、すなわちデータ保持状態の変化が平均してほぼ最小となる。これにより、ラインごとに画素のデータ保持状態が異なる場合でも、画面全体としてデータ保持状態の変化がほぼ最小となり、よりチラツキが抑制された高表示品位を達成することができる。
【００８７】
また、図１に示すように、透明共通電極１９（ＣＯＭ電位）に走査期間Ｔ１に交流電圧を印加する場合には、休止期間Ｔ２に透明共通電極１９を上記交流電圧の振幅中心の電位とする。このように、休止期間Ｔ２に透明共通電極１９の電位を上記のように設定することにより、各画素と対向電極との容量結合に起因した画素電極２７の電位変動が抑制される。したがって、画素のデータ保持状態の変化が抑制され、チラツキが抑制された高表示品位を達成することができる。
【００８８】
ここで、上記の構成の液晶パネル２について、休止期間Ｔ２を設けた場合の駆動方法を説明する。
【００８９】
図１０の等価回路において、走査信号線３１に選択電圧を印加してＴＦＴ１４をＯＮ状態とし、データ信号線３２から液晶容量ＣLCと補助容量ＣCSとにデータ信号をを印加する。次に、走査信号線３１に非選択電圧を印加してＴＦＴ１４をＯＦＦ状態とすることにより、液晶容量ＣLCと補助容量ＣCSとに書き込まれた電荷を保持する。ここで、前述したように画素の補助容量ＣCSを形成する補助容量配線３３を走査信号線３１の位置を避けて設けているので、これらの等価回路においては、走査信号線３１と補助容量用電極パッド２７ａとの容量結合を無視することができる。したがって、この状態でコントロールＩＣ５により休止期間Ｔ２を設定して液晶パネル２の駆動を行えば、Ｃｓオンゲート構造で補助容量を形成する場合と異なり、前段の走査信号線の電位変動による画素電極２７の電位変動は生じなくなる。
【００９０】
したがって、休止期間Ｔ２を設定して低周波数駆動とすることによって、データ信号の極性反転周波数が減少し、データ信号ドライバ、この場合はソースドライバ４の消費電力が十分に削減される。また、画素電極２７の電位変動が抑制されることによって、長い休止期間Ｔ２を設定してもチラツキが抑制された高表示品位を得ることができる。
【００９１】
以下では、上記液晶表示装置１の駆動方法について、より詳細に説明する。具体的には、休止期間Ｔ２における画素電極２７および透明共通電極（対向電極）１９の駆動波形を２通り説明する。
【００９２】
〔１〕第一に、図１から図４を参照しながら、休止期間Ｔ２において、データ信号線３２および／あるいは透明共通電極１９の電位を固定する駆動方法について説明する。
【００９３】
図２は、走査期間Ｔ１および休止期間Ｔ２における、ゲートドライバ３の制御に従い走査信号線３１に供給される走査信号（Ｇ1 〜Ｇ240 ）、ソースドライバ４の制御に従いデータ信号線３２に供給されるデータ信号（Ｓ電位）、コモンドライバ７の制御に従い透明共通電極１９に供給される対向電極信号（ＣＯＭ電位）の駆動波形と、画素電極２７の電位（Ｄ電位）、画素電極２７と透明共通電極１９との間の電位差（Ｄ−ＣＯＭ電位差）、および液晶層１３の光学応答を示すタイミングチャートである。
【００９４】
図２に示すように、走査期間Ｔ１においては、走査信号（Ｇ1 〜Ｇ240 ）および表示画像に応じたデータ信号（Ｓ電位）が交流波形で印加されている。また、透明共通電極１９の電位の振幅の影響を無くすため、透明共通電極１９を直流（ＣＯＭ電位）で駆動した場合を示している。
【００９５】
ここで、走査期間Ｔ１においては、ソースドライバ４により、データ信号線３２は１水平走査期間（１Ｈ）ごとという十分に高い周波数で極性反転する１Ｈ反転駆動により駆動される。そして、画素電極２７の電位（Ｄ電位）は、データ信号線３２の電位振幅の影響を受けて振動する。このとき、透明共通電極１９および画素電極２７に挟持された液晶層１３の液晶分子は、１水平期間の電圧振動ではなく、走査期間Ｔ１の印加電圧の実効値である実効電圧Ｖ１に対して応答する。
【００９６】
また、図２は、休止期間Ｔ２においては、全走査信号ごとに非選択信号が入力され、走査期間Ｔ１に書き込まれた画像データが保持されている。なお、図２は、休止期間Ｔ２において、データ信号線３２の電位が制御されていない状態を示している。
【００９７】
このように、走査期間Ｔ１と、走査期間Ｔ１よりも長く全てのデータ信号線３２を非走査状態とする休止期間Ｔ２とを垂直期間ごとに繰り返すことにより、１垂直期間に要するデータ信号の供給周波数を減少させることができる。よって、アクティブマトリクス型の液晶表示装置など、明るさ、コントラスト、応答速度、階調性などの基本的な表示品位を確保することのできるマトリクス型の表示装置においては、データ信号の供給周波数に正比例して増加するソースドライバ４の消費電力をその表示品位を犠牲にすることなく容易にかつ大幅に削減することができる。
【００９８】
ここで、休止期間Ｔ２ではＴＦＴ１４がＯＦＦ状態にあるので、理論的には、図２のようなＳ電位がデータ信号線３２に印加されても、データ信号線３２と画素電極２７との間に電流は流れず、画素電極２７の電位（Ｄ電位）は一定に保たれるべきである。
【００９９】
しかし実際には、図１０に示したように、データ信号線３２が画素電極２７に対して容量結合（Ｃsd）しているため、画素電極２７の電位（Ｄ電位）はデータ信号線３２の電位（Ｓ電位）の変動に応じて変動する。その結果、休止期間Ｔ２ごとに画素電極２７の電位に変動が生じ、チラツキが発生することがある。
【０１００】
また、図３は、走査期間Ｔ１および休止期間Ｔ２における、上記液晶パネル２の各駆動信号と光学応答とを示す他のタイミングチャートである。図３では、図２と異なり、ソースドライバ４の出力電圧の振幅を削減するため、コモンドライバ７が供給する駆動信号（対向電極駆動信号）によって、透明共通電極１９を交流駆動している。また、Ｓ電位とともに、コモンドライバ７によって、透明共通電極１９の電位を１水平走査期間（１Ｈ期間）ごとに極性反転する１Ｈ反転駆動を行っている。
【０１０１】
さらに、休止期間Ｔ２において、ソースドライバ４の制御により、データ信号線３２の電位を走査期間Ｔ１の駆動信号の電圧範囲内の電位（データ信号線休止電位）（図３では、一例としてＬｏｗ電位）で固定している。同様に、休止期間Ｔ２において、コモンドライバ７の制御により、透明共通電極１９の電位を走査期間Ｔ１の駆動信号の電圧範囲内の電位（対向電極休止電位）（図３では、一例としてＬｏｗ電位）で固定している。具体的には、ソースドライバ４およびコモンドライバ７にそれぞれ所定の電位を供給し続けることによって、データ信号線３２および透明共通電極１９の電位の変動をそれぞれ抑制する。
【０１０２】
ここで、画素電極２７の電位（Ｄ電位）は、データ信号線３２および透明共通電極１９のそれぞれの電位振幅の影響を受けて振動する。なお、簡単のため、データ信号線３２の電位変動がＣsd（図１０）を介して画素電極２７の電位に与える影響を無視した波形を示している。また、実際の表示ではＳ電位が含む画像データに応じて、Ｓ電位、Ｄ電位、Ｄ−ＣＯＭ電位差の波形が変化する。そして、透明共通電極１９および画素電極２７に挟持された液晶層１３の液晶分子は、１水平期間の電圧振動にではなく、走査期間Ｔ１の印加電圧の実効値である実効電圧に対して応答する。
【０１０３】
そして、非選択時の画素電極２７の電位は、透明共通電極１９の駆動波形に応じて決まり、理論的には画素電極２７と透明共通電極１９との電位差（Ｄ−ＣＯＭ電位差）は、すべての休止期間Ｔ２で一定に保たれるべきである。
【０１０４】
しかし実際には、図１０に示すように、画素電極２７は、走査信号線３１（Ｃgd）およびデータ信号線３２（Ｃsd）に対して容量結合しているため、画素電極２７の電位振幅は、透明共通電極１９の電位と完全には一致しない。
【０１０５】
ここで、図３における第ｎラインの画素の光学応答を、具体的に説明する。まず、休止期間Ｔ２が終了した時点で（ａ点）、第１ラインの走査が開始され、透明共通電極１９に交流が印加されるため、液晶層１３に印加される実効電圧はＶ１となり、液晶分子が応答する。そして、最終ライン（第２４０ライン）の走査が終了した時点で（ｂ点）、透明共通電極１９の電位がＬｏｗで固定されるため、実効電圧はＶ２となり、再度液晶分子が応答する。さらに、透明共通電極１９の電位の影響が、休止期間Ｔ２の画素電極２７の電位の極性に応じた方向に働くので、画素電極２７と透明共通電極１９との間の実効電圧は、ｃ点では実効電圧Ｖ３となる。
【０１０６】
このように、液晶層１３に印加される実効電圧は、走査期間Ｔ１において、「画素電極２７の電位振幅の中心と透明共通電極１９の電位振幅の中心との差（Ｖｌ）」となる。一方、休止期間Ｔ２においては、データ信号線３２および透明共通電極１９の電位をともにＬｏｗで固定しているため、液晶層１３に印加される実効電圧が、「走査期間Ｔ１における画素電極２７の電位振幅の下限値と透明共通電極１９の電位振幅の下限値との差（Ｖ２）」となる。しかも、休止期間Ｔ２の実効電圧は、それぞれ極性の異なる電位を保持する状態間において、実効電圧の絶対値が異なる（Ｖ２≠Ｖ３）。
【０１０７】
すなわち、図３のように駆動して、休止期間Ｔ２におけるデータ信号線３２および透明共通電極１９の電位を走査期間Ｔ１のＬｏｗ電位でそれぞれ固定すると、液晶層１３に印加される実効電圧が走査期間Ｔ１と休止期間Ｔ２とで異なってしまう。また、極性の異なる休止期間Ｔ２同士で、実効電圧の絶対値が異なってしまう。よって、走査期間Ｔ１と休止期間Ｔ２とを切り替えるごとに液晶層１３に印加される電圧に変動が生じ、その度に液晶分子が応答するため、図２よりは抑制されるものの、チラツキが発生することがある。
【０１０８】
また、図１は、走査期間Ｔ１および休止期間Ｔ２における、上記液晶パネル２の各駆動信号と光学応答とを示す他のタイミングチャートである。図１と図３との駆動波形の相違点は、休止期間Ｔ２におけるデータ信号線３２および透明共通電極１９の電位を、ソースドライバ４およびコモンドライバ７の制御によって、走査期間Ｔ１のそれぞれの電圧振幅の中心とほぼ等しくしたことである。
【０１０９】
これにより、液晶層１３に印加される実効電圧は、走査期間Ｔ１と休止期間Ｔ２とでほぼ等しくなる。よって、走査期間Ｔ１ごとに発生していたチラツキを解消することができる。
【０１１０】
このように、上記液晶表示装置１の駆動方法では、データ信号線３２および透明共通電極１９の電位を、走査期間Ｔ１における電位振幅の中心でそれぞれ停止させる。これにより、走査期間Ｔ１と休止期間Ｔ２とにおいて、データ信号線３２および透明共通電極１９の電位が画素電極２７に与える影響をほぼ等しくすることが可能となる。よって、休止期間Ｔ２を設けても、画素電極２７の電位の実効値をほぼ一定にして、チラツキの無い表示を実現できる。
【０１１１】
なお、休止期間Ｔ２におけるデータ信号線３２および透明共通電極１９の電位は、走査期間Ｔ１におけるそれぞれの電圧振幅の中心に限定されない。すなわち、データ信号線３２の電圧については振幅中心±１．５Ｖの範囲、透明共通電極１９の電位については振幅中心±１．０Ｖの範囲で値を変化させても実用上チラツキの無い表示を実現できる。
【０１１２】
ここで、休止期間Ｔ２におけるデータ信号線３２の電位を、上記のように走査期間Ｔ１の電圧振幅の中心近傍に設定できる理由について、簡単に説明する。
【０１１３】
ＴＦＴ駆動では、「走査」によって走査信号線が例えば−１０Ｖ→＋１５Ｖ→−１０Ｖと電圧変動し、ドレイン電位もゲート／ドレイン容量（Ｃgd）のために変動する。具体的には、走査信号線が＋１５Ｖ（ゲートｏｎ）の時に書き込まれたドレインは、走査信号線が−１０Ｖ（ゲートｏｆｆ）に変動することで、ΔＶ＝（−２５Ｖ）×Ｃgd／（ＣLC＋ＣCS＋Ｃgd）だけ引き込まれる。そのため、ＴＦＴ駆動では、上記引き込み電圧ΔＶを対向電圧にＤＣオフセットとして与えている。
【０１１４】
上記引き込み電圧ΔＶを決める容量のうち、ＣCSおよびＣgdは変化しない。これに対して、ＣLCは液晶の配向状態（階調）によって変化する。例えば、あるポジ型液晶（電圧印加によって立ち上がる液晶）では、白電圧（液晶分子が基板にほぼ平行）で比誘電率ε＝３程度、黒電圧（液晶分子が基板にほぼ垂直）で比誘電率ε＝８程度である。この誘電率の変化に応じて、ＣLCも変化する。
【０１１５】
このように、表示状態に応じて、すなわち各階調ごとにＣLCが変化するため、引き込み電圧ΔＶも各階調ごとに変化するが、対向電極は共通電極であるため、各画素ごとに最適なΔＶを設定することは不可能である。そこで、各階調ごとに「データ信号線の振幅中心」をあらかじめシフトさせた電圧を、各画素に供給することで、階調ごとに異なる引き込み電圧ΔＶの補正を行っている。
【０１１６】
以上のように、データ信号線３２の走査期間Ｔ１の電圧振幅の中心は、階調ごとに異なり、表示内容に依存する。しかし現実には、液晶パネルは、全表示可能領域においていろいろな階調で表示するため、走査期間Ｔ１の振幅中心の平均は、中間調表示時の値に近いと考えられる。
【０１１７】
さらに、上記液晶表示装置１の駆動方法では、図１に示すように、休止期間Ｔ２に入った時点で（ｄ点）、コモンドライバ７の制御により透明共通電極１９の交流駆動を停止して一定電位（図１では、走査期間Ｔ１の振幅中心）に固定し、つづいて、所定の時間ｔ０の時点で（ｅ点）、アンプ制御回路５Ｂの制御によりソースドライバ４をハイインピーダンス状態とする。その結果、時刻ｔ０以後、データ信号線３２の電位は浮いた状態となる。この後、透明共通電極１９の電位の変動は無いため、データ信号線３２の電位は変動せず、画素電極２７の電位も変動しない。よって、チラツキの無い表示を得ることが可能となる。
【０１１８】
このように、コモンドライバ７およびアンプ制御回路５Ｂの制御により、休止期間Ｔ２において、最初に透明共通電極１９の交流駆動を停止し、続いてソースドライバ４をハイインピーダンス状態にすることによって、休止期間Ｔ２にソースドライバ４内のアンプを流れる定常電流を削減して、消費電力を低減するとともに、チラツキの無い表示を得ることが可能となる。
【０１１９】
ここで、図４に、図１の比較例として、休止期間Ｔ２において、最初にデータ信号線３２をハイインピーダンス状態とした後、透明共通電極１９の交流駆動を停止した場合における、駆動波形および光学応答を示したタイミングチャートを示す。
【０１２０】
すなわち、図４では、休止期間Ｔ２に入った時点で（ｆ点）、ソースドライバ４をハイインピーダンス状態とすると、データ信号線３２の電位は浮いた状態となる。つづいて、所定の時間ｔ１の時点で（ｇ点）、透明共通電極１９の交流駆動を停止し一定電位に固定すると、透明共通電極１９の電位に引かれてデータ信号線３２の電位が変動し、そのデータ信号線３２の電位に引かれて画素電極２７の電位が変動する。したがって、このように駆動すると、走査期間Ｔ１と休止期間Ｔ２とを切り替えるごとに、チラツキが生じることとなる。
【０１２１】
最後に、液晶表示装置１において、図１に示した駆動を行ったところ、チラツキは発生せず良好な表示が得られた。なお、休止期間Ｔ２における透明共通電極１９の電位は１．５Ｖ（走査期間Ｔ１の振幅は−１Ｖ〜４Ｖ）、データ信号線３２の電位は２Ｖ（走査期間Ｔ１の振幅は０Ｖ〜４Ｖ）とした。
【０１２２】
〔２〕第二に、図５、図１１から１３を参照しながら、休止期間Ｔ２において、データ信号線３２および／あるいは透明共通電極１９に、走査期間Ｔ１よりも低周波の交流電圧を印加する駆動方法について説明する。
【０１２３】
図５は、走査期間Ｔ１および休止期間Ｔ２における、上記液晶パネル２の各駆動信号と光学応答とを示す他のタイミングチャートである。
【０１２４】
図５に示すように、走査期間Ｔ１においては、走査信号（Ｇ1 〜Ｇ240 ）、データ信号（Ｓ電位）として、表示画像に応じた交流波形が印加されている。また、ソースドライバ４の出力電圧の振幅を削減するため、コモンドライバ７により、透明共通電極１９を交流駆動している。また、Ｓ電位とともに、コモンドライバ７によって、透明共通電極１９の電位を１水平走査期間（１Ｈ期間）ごとに極性反転する１Ｈ反転駆動を行っている。
【０１２５】
また、休止期間Ｔ２においては、ソースドライバ４およびコモンドライバ７の制御によって、データ信号線３２および透明共通電極１９に、走査期間Ｔ１の電圧範囲内（最大電位と最小電位の間）の電位かつ低周波の交流電圧をそれぞれ印加している。
【０１２６】
これにより、液晶層１３に印加される電圧の実効値は、走査期間Ｔ１と休止期間Ｔ２において等しくなるため、走査期間Ｔ１ごとに発生していたチラツキを解消することができる。
【０１２７】
休止期間Ｔ２においてデータ信号線３２および透明共通電極１９に供給する交流電圧の周波数は、消費電力低減のため、走査期間Ｔ１の周波数以下であり、なるべく小さい方が良い。しかし、周波数が小さすぎると、液晶分子が電極反転に応答し、新たにチラツキの原因となる。なお、休止期間Ｔ２においてデータ信号線３２および透明共通電極１９に印加する駆動信号の周波数は、一般的に、３０Ｈｚ以上、より好ましくは４５Ｈｚ程度以上で駆動したときにチラツキのない表示が得られることが確認されている。
【０１２８】
最後に、液晶表示装置１において、図５に示した駆動を行ったところ、チラツキは発生せず良好な表示が得られた。なお、休止期間Ｔ２における透明共通電極１９の電位は走査期間Ｔ１の振幅−１Ｖ〜４Ｖと同電位で、周波数は６０Ｈｚとし、データ信号線３２の電位は、走査期間Ｔ１の振幅０Ｖ〜４Ｖと同電位で、周波数は６０Ｈｚとした。
【０１２９】
ここで、休止期間Ｔ２においてデータ信号線３２および透明共通電極１９に供給する交流電圧の振幅は、図５に示すように、それぞれ走査期間Ｔ１の電圧範囲内の電位に設定することが望ましい。しかし、休止期間Ｔ２においてデータ信号線３２に供給する交流電圧の振幅は、図１１に示すように、走査期間Ｔ１の最大振幅を超える電位に設定することもできる。
【０１３０】
以下では、図１１〜図１３を用いて、休止期間Ｔ２においてデータ信号線３２に、走査期間Ｔ１の最大振幅を超える交流信号を印加する液晶表示装置１の構成について説明する。
【０１３１】
まず、図１２に示す液晶表示装置１は、図７に示した構成に加えて、交流電圧発生回路８と、スイッチ９…とが設けられている。
【０１３２】
上記交流電圧発生回路８は、休止期間Ｔ２においてデータ信号線３２に供給する交流電圧を発生する回路である。発生する交流電圧の周波数は、図５と同様、走査期間Ｔ１の周波数以下であり、なるべく小さいほうが望ましい。また、上記交流電圧の振幅は、Ｄ―ＣＯＭ電位差による画素電極２７の電位の実効値が走査期間Ｔ１と休止期間Ｔ２とでほぼ一定になるように、休止期間Ｔ２における透明共通電極１９の駆動信号に応じて設定される。
【０１３３】
上記スイッチ９は、ソースドライバ４と液晶パネル２との間に、各データ信号線３２ごとに設けられている。そして、スイッチ９は、アンプ制御回路５Ｂからのアンプ制御信号により、走査期間Ｔ１ではソースドライバ４からの駆動信号を、休止期間Ｔ２では交流電圧発生回路８からの駆動信号を、データ信号線３２に供給するように切り替えられる。
【０１３４】
これにより、データ信号線３２の休止期間Ｔ２における駆動信号を、交流電圧発生回路８から供給して、休止期間Ｔ２にソースドライバ４を休止させることが可能となる。よって、休止期間Ｔ２のソースドライバ４に要していた消費電力を削減できる。
【０１３５】
また、交流信号発生回路８の出力電圧振幅を基準電源電圧、すなわち、既存の０Ｖ−３Ｖもしくは０Ｖ−５Ｖの振幅とすることで、新たな中間電位（例えば、４Ｖ等）を発生させる必要がなくなる。よって、中間電位を作成する時に生じる昇圧ロスがないため、電力ロスを抑えることが可能となり、さらなる低消費電力化を実現できる。
【０１３６】
また、図１１に示すように、１画面の走査が終了し休止期間Ｔ２に入った後、データ信号線３２に一定の期間（継続期間）、走査期間Ｔ１と同一の駆動信号を入力していてもよい。ここで、図１１では、データ信号線３２と透明共通電極１９とに入力する信号を同一にするまでに、休止期間Ｔ２の最初に走査期間Ｔ１と同一の駆動信号の入力を継続する継続期間が２種類（ｈ−ｉ間：ｔ２＝４Ｈ、ｊ−ｋ間：ｔ３＝３Ｈ）ある。すなわち、図１１のタイミングチャートによる駆動方法では、２つの継続期間を１フレームごとに変更する。ここで、２つの継続期間は、ともに休止期間Ｔ２に対して十分に小さく、かつ、その差（｜ｔ２−ｔ３｜）が１水平走査期間の奇数倍（ｎ×Ｈ（ｎ＝１，３，５，…））であれば任意に設定できる。
【０１３７】
このように、上記液晶表示装置１は、データ信号線３２および透明共通電極１９を駆動する駆動信号を同一電圧に切り替えるタイミングを、１水平期間の奇数倍だけずらしながら供給する。これにより、さらにチラツキの無い安定した表示が得られることが確認できた。なお、図１１では、データ信号線３２および透明共通電極１９を駆動する駆動信号を同一電圧に切り替える時、同時に周波数を低周波数に切り替えているが、周波数を切り替えるタイミングは電圧の切り替えと同時であっても良く、前後にずれていても良い。
【０１３８】
そして、液晶表示装置１において、図１１に示した駆動を行ったところ、チラツキの無い表示が得られた。なお、休止期間Ｔ２においてデータ信号線３２をソースドライバから切り離し、交流電圧発生回路８と接続して、周波数が３０Ｈｚ以上、好ましくは４５Ｈｚ以上の交流信号を印加する。本実施の形態では、周波数は走査時の１垂直周期のクロック信号を使用することで６０Ｈｚとし、振幅は電位が基準電源電圧である０Ｖと５Ｖとした。
【０１３９】
また、図１３に示すように、上記交流信号発生回路８はコモンドライバ７がこれを兼ねてもよい。すなわち、休止期間Ｔ２では、コモンドライバ７からの駆動信号を、透明共通電極１９（対向電極）とともにデータ信号線３２にも供給してもよい。なお、休止期間Ｔ２の駆動信号の振幅は、走査期間Ｔ１に透明共通電極１９に印加される駆動信号の振幅と同じであってもよいし、最大振幅以下（すなわち、駆動信号の電圧範囲内）であってもよい。もちろん、休止期間Ｔ２では、交流信号発生回路８からの駆動信号をデータ信号線３２および透明共通電極１９に供給し、ソースドライバ４およびコモンドライバ７を休止させるように構成することもできる（図示せず）。
【０１４０】
これにより、休止期間Ｔ２にコモンドライバ７から共通の駆動信号を透明共通電極１９（対向電極）とデータ信号線３２とに印加できる。よって、休止期間Ｔ２にデータ信号線３２を駆動するための交流信号発生回路８を新たに設ける必要がないため、液晶表示装置１の回路が大型化複雑化することを防止できる。また、データ信号３２と透明共通電極１９とに共通の駆動信号を入力するため、透明共通電極１９とデータ信号線３２との間の容量（図１０のＣcd）への充放電が無くなり、さらに低消費電力化することが可能となる。
【０１４１】
ここで、図１１において、休止期間Ｔ２にデータ信号線３２に印加する駆動信号を透明共通電極１９に印加する駆動信号と同じにすると、データ信号線３２の電位が走査期間Ｔ１と休止期間Ｔ２とで変動して、厳密にはＤ−ＣＯＭ電位差の実効値に若干のずれが生じる。
【０１４２】
しかしながら、一般に、図１０におけるＣsd／（Ｃgd＋Ｃsd＋ＣLC＋ＣCS）が１／２０程度であることから、上記実効値変動は実際上ほとんど問題ないレベルとなる。よって、休止期間Ｔ２におけるデータ信号線３２および透明共通電極１９の電位は、走査期間Ｔ１の振幅中心±１．０Ｖの範囲で値を変化させても、実用上チラツキの無い表示を実現できる。
【０１４３】
さらにチラツキを低減するためには、休止期間Ｔ２に印加する駆動信号の周波数を増加させることが有効である。上記の駆動方法では、ソースとコモンに共通電位を入力するため、ソース／コモン間に電荷の充放電は発生しないが、ゲート／ソース間およびゲート／コモン間には電荷の充放電が発生するため、周波数を増加させると消費電力削減効果が減少する。
【０１４４】
そこで、休止期間Ｔ２における駆動周波数とチラツキの知覚限界との関係について詳細な検討を行ったところ、表１の結果を得た。従って、本実施の形態では、データ信号線３２および透明共通電極１９に休止期間Ｔ２に印加する駆動周波数を、完全にチラツキが知覚できない最低周波数である５００Ｈｚとした。
【０１４５】
【表１】
2008233925.tif 000003
【０１４６】
なお、液晶パネル２のパラメータ（ＣLC，ＣCS他）が液晶パネル２の種類ごとに異なるため、各種類の液晶パネルごとに最適な駆動周波数は異なる。そして、駆動周波数は表示品位のためには大きい方が良いが、省電力化のためには小さい方が良い。したがって、休止期間Ｔ２の駆動周波数は、液晶パネル２のパラメータや用途等に基づいて最適化される。例えば、休止期間Ｔ２の駆動信号は、駆動周波数が０、すなわち直流信号であってもよい。
【０１４７】
以上のように、液晶表示装置１によれば、アクティブ素子を有する構成において、１画面を書き換える走査期間Ｔ１の後に、走査期間Ｔ１より長い休止期間Ｔ２を設け、休止期間Ｔ２におけるデータ信号線３２および透明共通電極１９の電位を最適に制御することによって、チラツキの無い表示品位を保ったまま低消費電力化を達成することができる。
【０１４８】
なお、上記液晶表示装置１の駆動方法は、走査期間Ｔ１において階調の分布が一般的な画像データが入力されている場合、休止期間Ｔ２のデータ信号線３２および透明共通電極１９の電位をそれぞれ走査期間Ｔ１の中心とすることで、実現したものである。しかし、データ信号線３２および透明共通電極１９の電位の組み合わせを、直前あるいはそれ以前の走査期間Ｔ１の電位から求めてもよい。さらに、極性を反転させている場合には、休止期間Ｔ２の１つおきに設定してもよい。
【０１４９】
本実施の形態は本発明の範囲を限定するものではなく、本発明の範囲内で種々の変更が可能であり、以下のように構成することができる。
【０１５０】
例えば、本実施の形態に係る表示装置の駆動方法は、対向配置される一対の基板のうち、一方の基板に複数のアクティブ素子を設け、前記アクティブ素子を通じて上記基板間に所望の電圧を印加し、光の透過率もしくは反射率を制御する表示装置の駆動方法において、１画面を走査する走査期間の後に、走査期間より長い全走査信号線を非走査状態とする休止期間を設け、前記休止期間には対向電極の電位を固定（交流駆動しない）してもよい。
【０１５１】
また、上記の表示装置の駆動方法は、前記休止期間の対向電極の電位が、走査期間に供給される対向信号電圧の振幅内から選ばれてもよい。
【０１５２】
また、上記の表示装置の駆動方法は、前記休止期間の対向電極の電位が、走査期間に供給される対向信号電圧の振幅中心の近傍（液晶表示装置であれば、振幅中心±１Ｖ以内）に設定されてもよい。これにより、良好な低消費電力の表示装置が実現できる。
【０１５３】
また、上記の表示装置の駆動方法は、対向配置される一対の基板のうち、一方の基板に複数のアクティブ素子を設け、前記アクティブ素子を通じて上記基板間に所望の電圧を印加し、光の透過率もしくは反射率を制御する表示装置の駆動方法において、１画面を走査する走査期間の後に、走査期間より長い期間全走査信号線を非走査状態とする休止期間を設け、前記休止期面にはデータ信号配線の電位を固定（交流駆動しない）してもよい。
【０１５４】
また、上記の表示装置の駆動方法は、前記休止期間のデータ信号配線の電位が、走査期間に供給されるデータ信号電圧の振幅内から選ばれてもよい。
【０１５５】
また、上記の表示装置の駆動方法は、前記休止期間のデータ信号配線の電位が、走査期間に供給されるデータ信号配線電圧の振幅中心の近傍（液晶表示装置であれば、振幅中心±１．５Ｖ以内）に設定されていてもよい。これにより、良好な低消費電力の表示装置が実現できる。
【０１５６】
また、上記の表示装置の駆動方法は、前記休止期間は、対向電極信号およびデータ信号配線の交流駆動を停止した後、データ信号ドライバの出力アンプをハイインピーダンス状態としてもよい。
【０１５７】
また、本実施の形態に係る表示装置の駆動方法は、対向配置される一対の基板のうち、一方の基板に複数のアクティブ素子を設け、前記アクティブ素子を通じて上記基板間に所望の電圧を印加し、光の透過率もしくは反射率を制御する表示装置の駆動方法において、１画面を走査する走査期間の後に、走査期間より長い期間全走査信号線を非走査状態とする休止期間を設け、前記休止期間の対向電極に、走査期間に供給される駆動信号に対して、電圧がほぼ等しく、周波数が前記駆動信号よりも小さい（液晶表示装置であれば、周波数が前記駆動信号の１／２以下、かつ、４５Ｈｚ以上）の交流を印加してもよい。これにより、良好な低消費電力の表示装置が実現できる。
【０１５８】
また、上記の表示装置の駆動方法は、対向配置される一対の基板のうち、一方の基板に複数のアクティブ素子を設け、前記アクティブ素子を通じて上記基板間に所望の電圧を印加し、光の透過率もしくは反射率を制御する表示装置の駆動方法において、１画面を走査する走査期間の後に、走査期間より長い期間全走査信号線を非走査状態とする休止期間を設け、前記休止期間のデータ信号線に、走査期間に供給される駆動信号に対して、電圧が任意の中間調電位であり、周波数が前記駆動信号よりも小さい（液晶表示装置であれば、周波数が前記駆動信号の１／２以下、かつ、４５Ｈｚ以上）の交流を印加してもよい。これにより、チラツキのない良好な表示性能を有した低消費電力の表示装置が実現できる。
【０１５９】
また、上記の表示装置の駆動方法は、前記休止期間に対向電極およびデータ信号配線に供給される交流電圧が同期して振動させてもよい。これにより、より効果的にチラツキを低減できる。
【０１６０】
また、本実施の形態に係る表示装置の駆動方法は、画素がマトリクス状に配置された画面の各ラインを複数の走査信号線により線順次に選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ上記休止期間には、上記データ信号線はスイッチによりデータ信号ドライバと切り離され、さらに上記データ信号線は交流信号発生回路に接続され、任意の振幅（例えば、前記交流信号発生回路と同一振幅）で、周波数が当該データ信号の周波数以下の交流駆動信号を印加してもよい。なお、休止期間にデータ信号線に供給される駆動信号の振幅は走査期間の電圧範囲内に限定されない。上記の方法により、休止期間において、データ信号線をスイッチによりデータ信号ドライバから切り離し、交流信号発生回路に接続することによって、データ信号ドライバを休止させることが可能となる。また、休止期間におけるデータ信号線の駆動信号を、対向電極に駆動信号を供給する交流電圧発生回路（コモンドライバ）から供給してもよい。
【０１６１】
なお、本発明の表示装置の駆動方法は、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間には上記データ信号線の電位を所定のデータ信号線休止電位に固定しても良い。
【０１６２】
本発明の表示装置の駆動方法は、さらに、上記休止期間におけるデータ信号線のデータ信号線休止電位を、上記走査期間にデータ信号線に供給されるデータ信号の電圧範囲内に設定しても良い。
【０１６３】
本発明の表示装置の駆動方法は、さらに、上記休止期間におけるデータ信号線のデータ信号線休止電位を、上記走査期間にデータ信号線に供給されるデータ信号の振幅中心に設定しても良い。
【０１６４】
上記の方法により、１画面を書き換える走査期間の後に、非走査期間として走査期間よりも長い休止期間を設けることによって、データ信号の供給周波数に正比例して増加するデータ信号線ドライバ（ソースドライバ）の消費電力を、容易に削減することができる。
【０１６５】
また、休止期間におけるデータ信号線の電位をデータ信号線休止電位に固定することによって、休止期間におけるデータ信号線の電位を最適に制御することが可能となる。すなわち、走査期間と休止期間とにおいて、データ信号線の電位が画素電極に与える影響をほぼ等しくすることが可能となる。よって、休止期間を設けても、画素電極の電位の実効値をほぼ一定にして、チラツキの無い表示を実現できる。
【０１６６】
したがって、マトリクス型の表示装置において、十分な低消費電力化とチラツキが十分に抑制された高表示品位とを両立させることが可能となる。
【０１６７】
そして、休止期間においてデータ信号線の電位を固定するデータ信号線休止電位は、走査期間にデータ信号線に供給されるデータ信号の電圧範囲内に設定することが好ましい。さらに、データ信号線休止電位は、走査期間にデータ信号線に供給されるデータ信号の振幅中心に設定することがより好ましい。
【０１６８】
なお、アクティブマトリクス液晶表示装置であれば、休止期間におけるデータ信号線の電位は走査期間の振幅中心±１．５Ｖの範囲で値を変化させても実用上チラツキの無い表示を実現できる。
【０１６９】
また、本発明の表示装置の駆動方法は、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間には対向電極の電位を所定の対向電極休止電位に固定しても良い。
【０１７０】
本発明の表示装置の駆動方法は、上記の課題を解決するために、さらに、上記休止期間における対向電極の対向電極休止電位を、上記走査期間に対向電極に供給される対向電極駆動信号の電圧範囲内に設定することを特徴としている。
【０１７１】
本発明の表示装置の駆動方法は、さらに、上記休止期間における対向電極の対向電極休止電位を、上記走査期間に対向電極に供給される対向電極駆動信号の振幅中心に設定しても良い。
【０１７２】
上記の方法により、データ信号ドライバの出力電圧の振幅を削減するために対向電極を交流駆動する場合であっても、１画面を書き換える走査期間の後に、非走査期間として走査期間よりも長い休止期間を設けることによって、データ信号の供給周波数に正比例して増加する対向電極駆動ドライバ（コモンドライバ）の消費電力を、容易に削減することができる。
【０１７３】
また、休止期間における対向電極の電位を対向電極休止電位に固定することによって、休止期間における対向電極の電位を最適に制御することが可能となる。すなわち、走査期間と休止期間とにおいて、対向電極の電位が画素電極に与える影響をほぼ等しくすることが可能となる。よって、休止期間を設けても、画素電極の電位の実効値をほぼ一定にして、チラツキの無い表示を実現できる。
【０１７４】
したがって、マトリクス型の表示装置において、十分な低消費電力化とチラツキが十分に抑制された高表示品位とを両立させることが可能となる。
【０１７５】
そして、休止期間において対向電極の電位を固定する対向電極休止電位は、走査期間に対向電極に供給される対向電極駆動信号の電圧範囲内に設定することが好ましい。さらに、対向電極休止電位は、走査期間に対向電極に供給される対向電極駆動信号の振幅中心に設定することがより好ましい。
【０１７６】
なお、アクティブマトリクス液晶表示装置であれば、休止期間における対向電極の電位は走査期間の振幅中心±１．０Ｖの範囲で値を変化させても実用上チラツキの無い表示を実現できる。
【０１７７】
また、本発明の表示装置の駆動方法は上記の表示装置の駆動方法によって、休止期間にはデータ信号線の電位をデータ信号線休止電位に固定し、かつ、上記の表示装置の駆動方法によって、上記休止期間には対向電極の電位を対向電極休止電位に固定しても良い。
【０１７８】
上記の方法により、１画面を書き換える走査期間の後に、非走査期間として走査期間よりも長い休止期間を設けることによって、データ信号線および対向電極に供給される駆動信号の周波数に正比例して増加する消費電力を、容易に削減することができる。
【０１７９】
また、休止期間におけるデータ信号線および対向電極の電位をそれぞれデータ信号線休止電位および対向電極休止電位にそれぞれ固定することによって、休止期間におけるデータ信号線および対向電極の電位を最適に制御することが可能となる。すなわち、走査期間と休止期間とにおいて、データ信号線および対向電極の電位が画素電極に与える影響をほぼ等しくすることが可能となる。ここで、データ信号線休止電位および対向電極休止電位は、画素電極と対向電極との間の実効電圧が、走査期間と休止期間とでほぼ等しくなるように設定すればよい。よって、休止期間を設けても、画素電極の電位の実効値をほぼ一定にして、チラツキの無い表示を実現できる。
【０１８０】
したがって、マトリクス型の表示装置において、十分な低消費電力化とチラツキが十分に抑制された高表示品位とを両立させることが可能となる。
【０１８１】
本発明の表示装置の駆動方法は、さらに、上記休止期間において、上記データ信号線の電位と上記対向電極の電位とを、データ信号線休止電位と対向電極休止電位とにそれぞれ固定した後、上記データ信号線にデータ信号を供給するデータ信号ドライバに対して当該データ信号線をハイインピーダンス状態としても良い。
【０１８２】
上記の方法により、さらに、休止期間に全データ信号線をデータ信号ドライバから切り離すなどして、データ信号ドライバに対してハイインピーダンス状態とするので、休止期間において各データ信号線の電位を一定に保持することができる。
【０１８３】
よって、データ信号線と接続される画素電極を有する表示装置において生じる、データ信号線と画素電極との容量結合に起因した画素電極の電位変動などのように、データ信号線の電位変動によって生じる各画素のデータ保持状態の変化が抑制され、画面のチラツキが十分に抑制される。
【０１８４】
したがって、マトリクス型の表示装置において、十分な低消費電力化とチラツキが十分に抑制された高表示品位とを両立させることが可能となる。
【０１８５】
また、本発明の表示装置の駆動方法は、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間には上記データ信号線に、周波数が上記走査期間に当該データ信号線に供給されるデータ信号の周波数以下の交流の駆動信号を印加しても良い。
【０１８６】
本発明の表示装置の駆動方法は、さらに、上記休止期間にデータ信号線に印加する駆動信号の振幅を、上記走査期間に当該データ信号線に供給されるデータ信号の電圧範囲内に設定しても良い。
【０１８７】
上記の方法により、１画面を書き換える走査期間の後に、非走査期間として走査期間よりも長い休止期間を設け、データ信号線に供給する駆動信号の周波数を走査期間よりも小さくすることによって、データ信号の供給周波数に正比例して増加するデータ信号線ドライバ（ソースドライバ）の消費電力を、容易に削減することができる。
【０１８８】
そして、休止期間においてデータ信号線に供給する駆動信号の周波数の上限は、走査期間の駆動信号よりも小さければよく、当該駆動信号の周波数の１／２以下であれば好ましく、１／１０以下であればより好ましい。また、休止期間においてデータ信号線に供給する駆動信号の周波数の下限は、３０Ｈｚ以上、より好ましくは４５Ｈｚであればよく、この設定によればチラツキのない表示が得られる。
【０１８９】
また、休止期間においてデータ信号線に供給する駆動信号を、振幅を上記走査期間に当該データ信号線に供給されるデータ信号の電圧範囲内、周波数を当該データ信号の周波数以下とすることによって、休止期間におけるデータ信号線の電位を最適に制御することが可能となる。すなわち、走査期間と休止期間とにおいて、データ信号線の電位が画素電極に与える影響をほぼ等しくすることが可能となる。よって、休止期間を設けても、画素電極の電位の実効値をほぼ一定にして、チラツキの無い表示を実現できる。
【０１９０】
したがって、マトリクス型の表示装置において、十分な低消費電力化とチラツキが十分に抑制された高表示品位とを両立させることが可能となる。
【０１９１】
また、本発明の表示装置の駆動方法は、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間には対向電極に、振幅が上記走査期間に当該対向電極に供給される対向電極駆動信号の電圧範囲内、周波数が当該対向電極駆動信号の周波数以下の交流の駆動信号を印加しても良い。
【０１９２】
上記の方法により、データ信号ドライバの出力電圧の振幅を削減するために対向電極を交流駆動する場合であっても、１画面を書き換える走査期間の後に、非走査期間として走査期間よりも長い休止期間を設け、対向電極に供給する駆動信号の周波数を走査期間よりも小さくすることによって、対向電極駆動信号の供給周波数に正比例して増加する対向電極駆動ドライバ（コモンドライバ）の消費電力を、容易に削減することができる。
【０１９３】
また、休止期間において対向電極に供給する駆動信号を、振幅を上記走査期間に当該対向電極に供給される対向電極駆動信号の電圧範囲内、周波数を当該対向電極駆動信号の周波数以下とすることによって、休止期間における対向電極の電位を最適に制御することが可能となる。すなわち、走査期間と休止期間とにおいて、対向電極の電位が画素電極に与える影響をほぼ等しくすることが可能となる。よって、休止期間を設けても、画素電極の電位の実効値をほぼ一定にして、チラツキの無い表示を実現できる。
【０１９４】
したがって、マトリクス型の表示装置において、十分な低消費電力化とチラツキが十分に抑制された高表示品位とを両立させることが可能となる。
【０１９５】
そして、休止期間において対向電極に供給する駆動信号の周波数の上限は、走査期間の駆動信号よりも小さければよく、当該駆動信号の周波数の１／２以下であれば好ましく、１／１０以下であればより好ましい。また、休止期間において対向電極に供給する駆動信号の周波数の下限は、３０Ｈｚ以上、より好ましくは４５Ｈｚであればよく、この設定によればチラツキのない表示が得られる。
【０１９６】
また、本発明の表示装置の駆動方法は、上記の表示装置の駆動方法によって、休止期間にはデータ信号線に交流の駆動信号を印加し、かつ、上記の表示装置の駆動方法によって、上記休止期間には対向電極に交流の駆動信号を印加し、上記の両駆動信号の周波数および位相が一致していても良い。
【０１９７】
上記の方法により、１画面を書き換える走査期間の後に、非走査期間として走査期間よりも長い休止期間を設けることによって、データ信号線および対向電極に供給される駆動信号の周波数に正比例して増加する消費電力を、容易に削減することができる。
【０１９８】
また、休止期間においてデータ信号線および対向電極を、振幅が走査期間に供給される駆動信号の電圧範囲内、周波数が当該駆動信号の周波数以下である駆動信号によってそれぞれ駆動することによって、休止期間におけるデータ信号線および対向電極の電位を最適に制御することが可能となる。すなわち、走査期間と休止期間とにおいて、データ信号線および対向電極の電位が画素電極に与える影響をほぼ等しくすることが可能となる。ここで、休止期間においてデータ信号線および対向電極へ供給するそれぞれの駆動信号の振幅および周波数は、画素電極と対向電極との間の実効電圧が、走査期間と休止期間とでほぼ等しくなるように設定すればよい。なお、休止期間においてデータ信号線および対向電極へ供給するそれぞれの駆動信号の位相は、一致させることが望ましい。よって、休止期間を設けても、画素電極の電位の実効値をほぼ一定にして、チラツキの無い表示を実現できる。
【０１９９】
したがって、マトリクス型の表示装置において、十分な低消費電力化とチラツキが十分に抑制された高表示品位とを両立させることが可能となる。
【０２００】
なお、本発明の表示装置の駆動方法は、休止期間において、データ信号線の電位をデータ信号線休止電位に固定するとともに、対向電極の電位を対向電極休止電位に固定してもよいし、また、データ信号線に交流の駆動信号を印加するとともに、対向電極に交流の駆動信号を印加してもよい。さらに、本発明の表示装置の駆動方法は、休止期間において、データ信号線の電位をデータ信号線休止電位に固定するとともに、対向電極に交流の駆動信号を印加してもよいし、逆に、データ信号線に交流の駆動信号を印加するとともに、対向電極の電位を対向電極休止電位に固定してもよい。
【０２０１】
また、本発明の表示装置の駆動方法は、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間には、振幅が上記走査期間に対向電極に供給される対向電極駆動信号の電圧範囲内、周波数が当該対向電極駆動信号の周波数以下の交流の駆動信号を上記対向電極に印加するとともに、当該交流の駆動信号を上記データ信号線にも印加しても良い。
【０２０２】
また、本発明の表示装置の駆動方法は、画素がマトリクス状に配設された画面の各走査信号線を選択して走査し、選択されたラインの画素にデータ信号線からデータ信号を供給して表示を行う表示装置の駆動方法において、１画面を走査する走査期間に続けて、該走査期間よりも長く全走査信号線を非走査状態とする休止期間を設け、かつ、上記休止期間には、上記走査期間に対向電極に供給される対向電極駆動信号の電圧範囲内の電位の直流の駆動信号を上記対向電極に印加するとともに、当該直流の駆動信号を上記データ信号線にも印加しても良い。
【０２０３】
上記の方法により、１画面を書き換える走査期間の後に、非走査期間として走査期間よりも長い休止期間を設けることによって、データ信号線および対向電極に供給される駆動信号の周波数に正比例して増加する消費電力を、容易に削減することができる。
【０２０４】
また、休止期間においてデータ信号線および対向電極を、振幅が走査期間に対向電極に供給される対向電極駆動信号の電圧範囲内、周波数が対向電極駆動信号の周波数以下である交流の駆動信号、あるいは、前記対向電極駆動信号の電圧範囲内の電位の直流の駆動信号で駆動することによって、休止期間におけるデータ信号線と対向電極との電位差を最適に制御することが可能となる。すなわち、走査期間と休止期間とにおいて、データ信号線および対向電極の電位が画素電極に与える影響をほぼ等しくできる。
【０２０５】
よって、休止期間においてデータ信号線および対向電極へ供給する駆動信号の振幅および位相が一致するため、休止期間を設けても、画素電極の電位の実効値をほぼ一定にして、チラツキの無い表示を実現できる。
【０２０６】
加えて、休止期間ではデータ信号線の駆動信号を対向電極に駆動信号を供給する交流信号発生回路（コモンドライバ）から供給することが可能となるため、休止期間中データ信号ドライバをデータ信号線から切り離してデータ信号ドライバを休止させることにより、消費電力を削減できる。
【０２０７】
したがって、マトリクス型の表示装置において、十分な低消費電力化とチラツキが十分に抑制された高表示品位とを両立させることが可能となる。
【０２０８】
なお、アクティブマトリクス液晶表示装置であれば、休止期間におけるデータ信号線および対向電極の電位は走査期間の振幅中心±１．０Ｖの範囲で値を変化させても実用上チラツキの無い表示を実現できる。
【０２０９】
本発明の表示装置は、上記の駆動方法を実行する制御手段を備えても良い。
【０２１０】
上記の構成により、マトリクス型の表示装置において、十分な低消費電力化とチラツキが十分に抑制された高表示品位とを両立させることが可能となる。例えば、液晶表示装置に適用よれば、アクティブ素子を有する構成において、良好な表示品位を保ったまま、低消費電力化を達成することができる。
【図面の簡単な説明】
【０２１１】
【図１】本発明の実施の形態に係る表示装置の駆動方法を説明する、走査期間および休止期間における、液晶パネルの各駆動信号と光学応答とを示すタイミングチャートである。
【図２】本発明の実施の形態に係る表示装置の駆動方法を説明する、走査期間および休止期間における、液晶パネルの各駆動信号と光学応答とを示すタイミングチャートである。
【図３】本発明の実施の形態に係る表示装置の駆動方法を説明する、走査期間および休止期間における、液晶パネルの各駆動信号と光学応答とを示すタイミングチャートである。
【図４】図１に示した表示装置の駆動方法の比較例を説明するタイミングチャートである。
【図５】本発明の実施の形態に係る表示装置の駆動方法を説明する、走査期間および休止期間における、液晶パネルの各駆動信号と光学応答とを示すタイミングチャートである。
【図６】図１、図５、図１１に示した表示装置の駆動方法を用いた液晶表示装置の構成の概略を示すブロック図である。
【図７】図６に示した液晶表示装置が具備する液晶パネルの構成の概略を示すブロック図である。
【図８】図６に示した液晶表示装置が具備する液晶パネルの構成の概略を示す断面図である。
【図９】図６に示した液晶表示装置が具備する液晶パネルの構成の概略を示す透視平面図である。
【図１０】図６に示した液晶パネルの等価回路を示す回路図である。
【図１１】本発明の実施の形態に係る表示装置の駆動方法を説明する、走査期間および休止期間における、液晶パネルの各駆動信号と光学応答とを示すタイミングチャートである。
【図１２】図６に示した液晶表示装置が具備する液晶パネルの他の構成の概略を示すブロック図である。
【図１３】図６に示した液晶表示装置が具備する液晶パネルのさらに他の構成の概略を示すブロック図である。
【符号の説明】
【０２１２】
１    液晶表示装置（表示装置）
２    液晶パネル（画面）
４    ソースドライバ（データ信号ドライバ）
５    コントロールＩＣ（制御手段）
１９    透明共通電極（対向電極）
３１    走査信号線
３２    データ信号線
Ｔ１    走査期間
Ｔ２    休止期間
【図１】
2008233925.tif 000004
【図２】
2008233925.tif 000005
【図３】
2008233925.tif 000006
【図４】
2008233925.tif 000007
【図５】
2008233925.tif 000008
【図６】
2008233925.tif 000009
【図７】
2008233925.tif 000010
【図８】
2008233925.tif 000011
【図９】
2008233925.tif 000012
【図１０】
2008233925.tif 000013
【図１１】
2008233925.tif 000014
【図１２】
2008233925.tif 000015
【図１３】
2008233925.tif 000016